(57)【要約】【課題】扉体を大きく開閉させてもケーブルに負荷が掛かったり、損傷する恐れのないキャビネットにおける開閉扉の施解錠装置を提供すること。【解決手段】キャビネット内部における電子錠５の電動アクチュエータ操作用ケーブル２０を、キャビネット側板１５より開閉扉Ｄ１の枢着部を経てＵ字状の湾曲部を形成してから電動アクチュエータ側に配線し、且つ開閉扉Ｄ１側の枢着部近傍で所定の引っ張り張力を有する巻き取り装置２６に連結することで、開閉扉Ｄ１開放時には、ケーブル２０の不足長さが補填され、開閉扉Ｄ１閉鎖時には、ワイヤー２８が巻取られて、枢着部近傍におけるケーブル２０が常に直線状態に保つ。【選択図】　図２
2004107901.tif 000002
【特許請求の範囲】
【請求項１】
キャビネット本体の前面開口を開閉し、キャビネット側板に枢着した開閉扉の裏面側に、キャビネットの施解錠を行う電動アクチュエータを設けたキャビネットにおける開閉扉の施錠装置であって、キャビネット内部において、電動アクチュエータ操作用のケーブルが、前記キャビネット側板より前記開閉扉の枢着部を経てＵ字状の湾曲部を形成してから前記電動アクチュエータ側に配線され、かつ該ケーブルは前記開閉扉側の前記枢着部近傍で所定の引っ張り張力を有する伸縮体に連結されていることを特徴とするキャビネットにおける開閉扉の施解錠装置。
【請求項２】
前記伸縮体は所定の巻き取り付勢力をもつ巻き取り装置のワイヤーである請求項１に記載のキャビネットにおける開閉扉の施解錠装置。
【請求項３】
前記ケーブルは前記キャビネット側板から前記伸縮体に連結されているところに向けて直線的に配線されている請求項１または２に記載のキャビネットにおける開閉扉の施解錠装置。
【請求項４】
前記開閉扉の裏面側には、少なくとも前記電動アクチュエータ及び前記ケーブルの湾曲部分を覆う裏面カバーが設けられている請求項１ないし３の何れかに記載のキャビネットにおける開閉扉の施解錠装置。
【請求項５】
前記電動アクチュエータはリモートコントローラで駆動され、前記キャビネット側板に配線したケーブルは天板上の受信機に接続されている請求項１ないし４の何れかに記載のキャビネットにおける開閉扉の施解錠装置。
【請求項６】
前記電動アクチュエータは前記キャビネットの外部から施解錠操作できる手動キーと連接して設けられている請求項１ないし５の何れかに記載のキャビネットにおける開閉扉の施解錠装置。
【発明の詳細な説明】
【０００１】
【発明の属する技術分野】
本発明は、キャビネット本体の前面開口を開閉し、キャビネット側板に対して枢着した開閉扉の裏面側に、キャビネットの施解錠を行う電動アクチュエータを設けたキャビネットにおける開閉扉の施解錠装置に関する。
【０００２】
【従来の技術】
キャビネットの施解錠を行う電動アクチュエータを設けたキャビネットとして、例えば図５に示すような施解錠装置が知られている。図５はこのような施解錠装置の要部斜視図であり、キャビネット本体０１の天板０１ａには受信機としてのアンテナ０２が載置され、このアンテナ０２はキャビネットの施解錠を行う電動アクチュエータ０３とケーブル０４を介して電気的に接続している。
【０００３】
キャビネット本体０１の前面開口を開閉する開閉扉０５は一対の扉体０５ａ、０５ｂから成り、この一対の扉体０５ａ、０５ｂはキャビネット本体０１の２つの側板０１ｂ、０１ｃにそれぞれ枢着自在に支持され、一方の扉体０５ａに設けた電動アクチュエータ０３により、他方の扉体０５ｂと施解錠するように構成されている。
【０００４】
ケーブル０４はキャビネットの側板０１ｂの上部を直線的に一方の扉体０５ａに向かって延び、枢着部を越えて扉体０５ａの裏面側上部で留め具０６に固定され、電動アクチュエータ０３に接続されるようになっていた。
【０００５】
【発明が解決しようとする課題】
しかし、上述の施解錠装置は、一方の扉体０５ａは側板０１ｂに対して２７０度近く開閉されるので、ケーブル０４は予め大きく回転した場合に対応できるように若干弛ませた状態で装架しなければならなかった。したがって側板０１ｂから留め具０６間のケーブルが一方の扉体０５ａの開閉に応動して延びて引っ張られたり撓んだりし、そのためケーブルに負荷が掛かるばかりでなく、撓んだときにケーブルが枢着部に挟まれたり、キャビネット内の収納物に引っ掛かったりしてケーブルが損傷する恐れもあった。
【０００６】
本発明は、このような状況に鑑みてなされたもので、扉体を大きく開閉させてもケーブルに負荷が掛かったり、損傷する恐れのないキャビネットにおける開閉扉の施解錠装置を提供することを目的にしている。
【０００７】
【課題を解決するための手段】
上記目的を達成するために、本発明のキャビネットにおける開閉扉の施解錠装置は、キャビネット本体の前面開口を開閉し、キャビネット側板に対してその側端部で枢着した開閉扉の裏面側に、キャビネットの施解錠を行う電動アクチュエータを設けたキャビネットにおける開閉扉の施錠装置であって、キャビネット内部において、電動アクチュエータ操作用のケーブルが、前記キャビネット側板より前記開閉扉の枢着部を経てＵ字状の湾曲部を形成してから前記電動アクチュエータ側に配線され、かつ該ケーブルは前記開閉扉側の前記枢着部近傍で所定の引っ張り張力を有する伸縮体に連結されていることを特徴としている。
この特徴によれば、扉を開けたときは伸縮体が伸び、Ｕ字状の湾曲部が変形してケーブルの不足長さを補填し、扉を閉めたときは伸縮体が巻取られてＵ字状の湾曲部が大きく垂れ下がることで、枢着部近傍のケーブルを常に直線状態を保つことができ、枢着部近傍でケーブルが大きく弛むようなことがない。
【０００８】
上記キャビネットにおける開閉扉の施解錠装置において、前記伸縮体は所定の巻き取り付勢力をもつ巻き取り装置のワイヤーであることが好ましい。
このようにすると、巻き取り装置の付勢力を調整すれば、各種ケーブルの装架状況に対応できる。
【０００９】
上記キャビネットにおける開閉扉の施解錠装置において、前記ケーブルは前記キャビネット側板から前記伸縮体に連結されているところに向けて直線的に配線されていることが好ましい。
このようにすると、ケーブルがキャビネット内の収納物に引っ掛かって断線するような恐れがない。
【００１０】
上記キャビネットにおける開閉扉の施解錠装置において、前記開閉扉の裏面側には、少なくとも前記電動アクチュエータ及び前記ケーブルの湾曲部を覆う裏面カバーが設けられていることが好ましい。
このようにすると、ケーブルの湾曲部が裏面カバーで覆われることになるので、開閉扉の開閉に応じて湾曲部の形状は変動しても、キャビネット内の収納物と接触するようなことがない。
【００１１】
上記キャビネットにおける開閉扉の施解錠装置において、前記電動アクチュエータはリモートコントローラで駆動され、前記キャビネット側板に配線したケーブルは天板上の受信機に接続されていることが好ましい。
このようにすると、ケーブルが枢着部のところで延びたり撓んだりしないので、天板側の任意の位置に受信機を置くことができる。
【００１２】
上記キャビネットにおける開閉扉の施解錠装置において、前記電動アクチュエータは前記キャビネットの外部から施解錠操作できる手動キーと連接して設けられていることが好ましい。
このようにすると、万一電動アクチュエータが駆動不能になっても、手動キーで施解錠操作ができる。
【００１３】
【発明の実施の形態】
以下、本発明の実施形態を図面に基づいて説明する。
【００１４】
図１〜図４は本発明の一実施形態を示すもので、図１は各種キャビネットに適用された本発明の施解錠装置をリモコンにより施解錠操作を行うシステム構成図、図２はキャビネット本体の前面開口を開閉する開閉扉の一部断面を示す背面図、図３は図２のＡ−Ａ断面図であり、図４の（ａ）は取手部近傍に施解錠装置を配置した開閉扉の部分正面図、（ｂ）は（ａ）のＢ―Ｂ断面図である。
【００１５】
図１において、符号１〜３は収納形態の異なる各種キャビネットを示し、キャビネット１は引出し構造の下部キャビネット１ａとその上部に載置された引戸構造の上部キャビネット１ｂとから構成され、キャビネット２、３は上記と同じ構造の下部キャビネット２ａ、３ａと、その上部に載置された観音開き構造の上部キャビネット２ｂ、３ｂとから構成されている。
【００１６】
本実施形態では、観音開き構造として構成された開閉扉Ｄ１、Ｄ２を備えた上部キャビネット２ｂ、３ｂについて説明する。
【００１７】
開閉扉Ｄ１、Ｄ２は、図２に示すように上部キャビネット２ｂの両側板１５の前端縁上下に枢着部であるヒンジ１６ａ、１６ｂを介して両側が開放可能に枢着されており、一方の開閉扉Ｄ１の開放端側には上下に向く操作軸１２が一方向に弾力的に付勢された状態で回動可能に支持されている。
【００１８】
開閉扉Ｄ１の上下端面より挿通突出した操作軸１２の両端には、係止爪１２ａ、１２ｂがそれぞれ取着されており、これら係止爪１２ａ、１２ｂは、開閉扉Ｄ１を閉じた時に上部キャビネット２ｂの前面枠に形成された図示しない係止穴に弾力な付勢力によって係合可能となっている。
【００１９】
そして、開閉扉Ｄ１前面の開放端側上方部位には、操作軸１２を連携動作によって回動操作し、係止爪１２ａ、１２ｂを付勢力に抗して係止穴から開放操作するための取手Ｈが設けられている。
【００２０】
図４の（ａ）に示すように、取手Ｈ下方の操作軸１２にはロック片１４が取着されており、このロック片１４に対応するように、取手Ｈの直下に施解錠装置が取付けられている。
【００２１】
この施解錠装置は、図１〜図４に示されるようにマニュアル操作により施解錠を行う既存の手動キーとなるシリンダ錠８と、このシリンダ錠８の後方に連接され電気的な操作で施解錠を行う電動アクチュエータ９とからなる電子錠５として構成されている。
【００２２】
電動アクチュエータ９は、図４の（ａ）、（ｂ）に示すように、図示しない減速モータの回転を直線運動に変換する方向変換機構（例えば、偏心ピンと長穴またはラックとピニオン機構）を備えており、この方向変換機構（不図示）により、板状のスライド錠１０が前後方向に移動可能に支持されている。
【００２３】
また、スライド錠１０の後方側面には検出用のドッグ１３が突設しており、このドッグ１３を挟んで前後に例えばリミットスイッチから成る施錠スイッチＬ１及び解錠スイッチＬ２が配置されている。
【００２４】
更に、図２に示すように、一方の開閉扉Ｄ１の開放端には、両開閉扉Ｄ１、Ｄ２を閉じた際に対向する相手側の開閉扉Ｄ２との接触により閉じ状態を検出する扉閉じスイッチ１８が取付けられている。
【００２５】
一方、図１に示すように、連設配置されたキャビネット１〜３のキャビネット１の天板上には、予め認証された操作者の所有するリモートコントローラＲから送信される施解錠信号を受信する受信アンテナ６０が設置されると共に、上部キャビネット１ｂ及び下部キャビネット１ａの前面に隣接して配設された電子錠５並びに確認ランプ６は、それぞれ制御ユニット６２ａに配線接続されており、受信アンテナ６０はコントロールユニット６４に配線接続されている。
【００２６】
また、本発明の施解錠装置が取付けられる観音開き構造の開閉扉Ｄ１、Ｄ２を持つキャビネット２、３の上部キャビネット２ｂ、３ｂないし下部キャビネット２ａ、３ａの電子錠５並びに確認ランプ６も同様に制御ユニット６２ｂ、６２ｃに接続されている。
【００２７】
そして、これら制御ユニット６２ｂ、６２ｃは、キャビネット１の制御ユニット６２ａ、コントロールユニット６４と共に直列に接続されており、コントロールユニット６４はパーソナルコンピュータ６５に接続されている。
【００２８】
そこで、図３に示す上部キャビネット２ｂの側板１５上端には、電源コード及び信号線を収容した電気ケーブル（以下単に「ケーブル」という）２０がダクト２２及び支持具２４に支持され、図２に示す一方の開閉扉Ｄ１の枢着側上方に掛け渡された後、下方に所定の弛み、すなわちＵ字状の湾曲部が形成されるよう支持具２４を介して保持されて電子錠５側に配線されている。
【００２９】
ケーブル２０の側板１５から開閉扉Ｄ１の枢着側上方に掛け渡された近傍であって、Ｕ字状の湾曲部の形成開始部のところに保持金具２５が取着され、この保持金具２５には、所定の引っ張り伸縮体としての巻き取り装置２６から伸張したワイヤー２８端の係止具３０に係止されている。
【００３０】
更に、扉閉じスイッチ１８からの信号線２０’および施錠スイッチＬ１及び解錠スイッチＬ２の信号は全て電子錠５に集約され電動アクチュエータ９の制御や確認ランプ６のオン、オフに供される。そして開閉扉Ｄ１の裏面側に配設された施解錠装置の電子錠５、施解錠スイッチＬ１、Ｌ２並びに扉閉じスイッチ１８、ケーブル２０、巻き取り装置２６等は裏面カバーＰにより覆い隠されている。
【００３１】
次に、図１に示されるキャビネット２の上部キャビネット２ｂに設けられる観音開き構造の開閉扉に適用した施解錠装置に付き説明する。
【００３２】
この施解錠装置の電子錠５は、シリンダ錠８及びこのシリンダ錠８に連結された電動アクチュエータ９と共に、マニュアル並びに電気的に個別に施解錠操作が可能となっているが、非常時以外は電気的に施解錠操作が行われるようになっている。
【００３３】
先ず、施解錠装置を操作するに際し、開閉扉Ｄ１、Ｄ２が閉じた状態では、係止爪１２ａ、１２ｂが上部キャビネット２ｂの前面枠の図示しない係止穴に弾力な付勢力によって係合保持され、操作軸１２のロック片１４は図４の（ｂ）に示すように反時計回りに付勢された状態で保持されている。
【００３４】
図４の（ｂ）に示す状態は施錠状態を示しており、シリンダ錠８がマニュアルで施錠されてキー差込み部８ａから手動キー（不図示）が抜かれた状態を施解錠装置の初期位置として設定される。
【００３５】
この初期位置は、図４の（ａ）に示すようにスライド錠１０が前進端に位置してロック片１４に係合することで、ロック片１４の時計回りの動作が阻止されて取手Ｈによる解除操作が不能となる。同時に施錠スイッチＬ１は、スライド錠１０のドッグ１３により作動状態となり確認ランプ６が点灯状態となる。
【００３６】
そこで、電動アクチュエータ９の減速モータを電気的に回動操作するには、この初期位置を基準として施解錠操作が行われる。すなわち、電子錠５を解錠する際は、認証された操作者の所有するリモートコントローラＲから送信した解錠信号を受信アンテナ６０が受信することで、減速モータが作動してスライド錠１０が後退移動しロック片１４との係合が解除されて確認ランプ６が消灯状態となる。
【００３７】
次に、この解錠状態から電子錠５を施錠するには、先ず、開閉扉Ｄ１、Ｄ２を閉じることで扉閉じスイッチ１８が作動し、リモートコントローラＲから送信した施錠信号を受信アンテナ６０が受信することで電動アクチュエータ９が作動してスライド錠１０が前進移動し、同時に施錠スイッチＬ１は、スライド錠１０のドッグ１３により作動状態となり確認ランプ６が点灯状態となる。
【００３８】
なお、扉閉じスイッチ１８が作動しない状態で電子錠５を施錠した場合は、開閉扉が開いている状態であり、この状態では、リモートコントローラＲの操作により送信される施錠指令が無効とされて電動アクチュエータ９が起動されず確認ランプ６が点滅状態となる。
【００３９】
施解錠操作後、開閉扉Ｄ１、Ｄ２を開閉するが、このときのケーブルの挙動について図２に示した電子錠側の開閉扉Ｄ１の開閉動作に基づいて説明する。Ｘは側板１５から枢着部を越えて開閉扉Ｄ１側に導入したケーブル２０の開閉扉Ｄ１側の端部であり、Ｙは保持金具２５の取着点であり、Ｚは湾曲部の終点とする。
【００４０】
開閉扉Ｄ１が閉止した状態から２７０度近辺まで大きく開くと、ケーブル２０は全体としてその開度に見合う分の長さを必要とする。このときケーブル２０に張力が働き保持金具２５の取着点Ｙが側板１５方向に引かれるが、枢着点Ｙは、ワイヤー２８を介して所定の引っ張り張力を有する巻き取り装置２６に連結しているので、ワイヤー２８が繰り出されＹ、Ｚ間の湾曲部の形状がワイヤー２８の繰り出された分だけ変形する。
【００４１】
一方大きく開いた開閉扉Ｄ１を閉める場合には、枢着部においてケーブル２０に弛みができるが、枢着点Ｙがワイヤー２８を介して巻き取り装置２６に連結しているので、開閉扉の閉鎖に伴うケーブル２０の弛みは、取着点Ｙがワイヤー２８に引っ張られることにより吸収される。
【００４２】
このように、巻き取り装置２６から伸張したワイヤー２８は一方の開閉扉Ｄ１側の枢着部近傍で所定の引っ張り張力を有する巻き取り装置２６に連結されているので、開閉扉Ｄ１を開けたときはワイヤー２８が伸び、Ｕ字状の湾曲部が変形してケーブル２０の不足長さを補填し、開閉扉Ｄ１を閉めたときはワイヤー２８が巻取られてＵ字状の湾曲部が大きく垂れ下がることで、枢着部近傍のケーブル２０を常に直線状態を保つことができ、枢着部近傍でケーブル２０が大きく弛むようなことがない。
【００４３】
また、上記ワイヤー２８が所定の巻き取り付勢力をもつ巻き取り装置２６により巻取られるように構成されているので、付勢力を調整すれば、各種ケーブル２０の装架状況に対応できる。
【００４４】
更に、ケーブル２０はキャビネットの側板１５から巻き取り装置２６に連結されているところに向けて直線的に配線されているので、このケーブル２０が上部キャビネット２ｂ、３ｂ内の収納物に引っ掛かって断線するような恐れがない。
【００４５】
そして、一方の開閉扉Ｄ１の裏面側には、電動アクチュエータ９及びケーブル２０の湾曲部を覆う裏面カバーＰが設けられているので、開閉扉Ｄ１の開閉に応じて湾曲部の形状が変動しても、上部キャビネット２ｂ、３ｂ内の収納物と接触するようなことがない。
【００４６】
そしてまた、電動アクチュエータ９は、リモートコントローラＲで駆動され、キャビネットの側板１５内側に配線したケーブル２０はキャビネット１天板上の受信アンテナ６０に接続されているため、ケーブル２０が枢着部のところで伸び縮みしないので、天板側の任意の位置に受信アンテナ６０を設置することができる。
【００４７】
更にまた、電動アクチュエータ９は、上部キャビネット２ｂ、３ｂの外部から操作して施解錠操作できる手動キーと連接して設けられているので、万一電動アクチュエータ９が電気的なトラブル（停電など）で駆動不能になっても、手動キーで施解錠操作することができる。
【００４８】
尚、本実施形態の伸縮体として巻き取り装置を用いた例で説明しているが、所定の張力を有するゴム等の弾性体をケーブルと開閉扉間に張設したものであってもよい。
【００４９】
【発明の効果】
本発明は以下の効果を奏する。
【００５０】
（ａ）請求項１項の発明によれば、扉を開けたときは伸縮体が伸び、Ｕ字状の湾曲部が変形してケーブルの不足長さを補填し、扉を閉めたときは伸縮体が巻取られてＵ字状の湾曲部が大きく垂れ下がることで、枢着部近傍のケーブルを常に直線状態を保つことができ、枢着部近傍でケーブルが大きく弛むようなことがない。
【００５１】
（ｂ）請求項２項の発明によれば、巻き取り装置の付勢力を調整すれば、各種ケーブルの装架状況に対応できる。
【００５２】
（ｃ）請求項３項の発明によれば、ケーブルがキャビネット内の収納物に引っ掛かって断線するような恐れがない。
【００５３】
（ｄ）請求項４項の発明によれば、ケーブルの湾曲部が裏面カバーで覆われることになるので、扉の開閉に応じて湾曲部の形状は変動しても、キャビネット内の収納物と接触するようなことがない。
【００５４】
（ｅ）請求項５項の発明によれば、ケーブルが枢着部のところで延びたり撓んだりしないので、天板側の任意の位置に受信機を置くことができる。
【００５５】
（ｆ）請求項６項の発明によれば、万一電動アクチュエータが駆動不能になっても、手動キーで施解錠操作ができる。
【図面の簡単な説明】
【図１】本発明の一実施形態を示すものであって、各種キャビネットに適用された本発明の施・解錠装置をリモコンにより施解錠操作を行うシステム構成図である。
【図２】キャビネット本体の前面開口を開閉する開閉扉の一部断面を示す背面図である。
【図３】図２のＡ−Ａ断面図である。
【図４】（ａ）は取手部近傍に施解錠装置を配置した開閉扉の部分正面図、（ｂ）は（ａ）のＢ―Ｂ断面図である。
【図５】従来の施解錠装置の要部斜視図である。
【符号の説明】
１、２、３　　　　　　キャビネット
１ａ、２ａ、３ａ　　　下部キャビネット
１ｂ、２ｂ、３ｂ　　　上部キャビネット
５　　　　　　　　　　電子錠
６　　　　　　　　　　確認ランプ
８　　　　　　　　　　シリンダ錠
８ａ　　　　　　　　　キー差込み部
９　　　　　　　　　　電動アクチュエータ
１０　　　　　　　　　スライド錠
１２　　　　　　　　　操作軸
１２ａ　　　　　　　　係止爪
１３　　　　　　　　　ドッグ
１４　　　　　　　　　ロック片
１５　　　　　　　　　側板
１６ａ、１６ｂ　　　　ヒンジ
１８　　　　　　　　　扉閉じスイッチ
２０　　　　　　　　　ケーブル
２０’　　　　　　　　信号線
２２　　　　　　　　　ダクト
２４　　　　　　　　　支持具
２５　　　　　　　　　保持金具
２６　　　　　　　　　巻き取り装置
２８　　　　　　　　　ワイヤー
３０　　　　　　　　　係止具
６０　　　　　　　　　受信アンテナ
６２ａ、６２ｂ、６２ｃ制御ユニット
６４　　　　　　　　　コントロールユニット
６５　　　　　　　　　パーソナルコンピュータ
Ｄ１、Ｄ２　　　　　　開閉扉
Ｈ　　　　　　　　　　取手
Ｌ１　　　　　　　　　施錠スイッチ
Ｌ２　　　　　　　　　解錠スイッチ
Ｐ　　　　　　　　　　裏面カバー
Ｒ　　　　　　　　　　リモートコントローラ
【図１】
2004107901.tif 000003
【図２】
2004107901.tif 000004
【図３】
2004107901.tif 000005
【図４】
2004107901.tif 000006
【図５】
2004107901.tif 000007